(57)【要約】      （修正有）【課題】伸縮性の低い材料部材を装身部材として採用した場合であっても、装着部材への装飾体の着脱を容易に行えるとともに、装飾体の装着部材からの脱落を有効に阻止する装身具を提供する。【解決手段】装飾体２０が、装身部材３０が取り付けられた場合の視認領域側に意匠が施された装飾部２１と；当該視認領域側の反対側の平坦面から突出するように形成された柱状部と；柱状部の装飾部２１側とは反対側に形成され、柱状部の径よりも大きな径を有する板状の係止部２３と；を備え、装身部材３０は、柱状部の高さ未満の厚さを有し、かつ、柱状部の径以上かつ係止部２３の径未満の径の貫通孔を含む装飾体２０に対する着脱構造を備え、伸縮性が高い素材から成る脱落防止部材４０には、脱落防止部材４０に対して引っ張り力を印加することにより、径が係止部２３の径以上に変化可能な開口を有する。【選択図】図１
0003218335.tif 000002
【実用新案登録請求の範囲】
【請求項１】
装飾体と；前記装飾体に着脱可能な装身部材と；前記装飾体に着脱可能な脱落防止部材と；を備える装身具であって、
前記装飾体は、
前記装身部材が取り付けられた場合の視認領域側に意匠が施された装飾部と；
前記視認領域側の反対側の平坦面から突出するように形成された柱状部と；
前記柱状部の前記装飾部側とは反対側に形成され、前記柱状部の第１の径よりも大きな第２の径を有する板状の係止部と；を備え、
前記装身部材は、前記柱状部の高さ未満の厚さを有し、かつ、前記第１の径以上かつ前記第２の径未満の貫通孔を含む前記装飾体に対する着脱構造を備え、
前記脱落防止部材には、前記装飾体に前記装身部材が取り付けられた状態で、前記装飾体に着脱させる際に前記係止部を通過させる開口が形成され、
前記開口の径は、前記脱落防止部材に対して引っ張り力を印加することにより前記第２の径未満から前記第２の径以上に変化可能であり、前記係止部を通過後に前記引っ張り力の印加をやめると前記第２の径以上から前記第２の径未満に変化する、
ことを特徴とする装身具。
【請求項２】
前記脱落防止部材は、
圧縮力が印加されていない場合には、前記柱状部の高さと前記装身部材の厚さとの差以上の厚さを有し、
前記装飾体に前記装身部材を取り付けた後に前記装飾体に取り付けられた場合に、前記係止部と前記装身部材と間における厚さが、前記差に一致する厚さに変形する、
ことを特徴とする請求項１に記載の装身具。
【請求項３】
前記着脱構造は、前記貫通孔から前記装身部材の延びる方向の少なくとも一方の方向に沿って形成された切込みを更に有する、ことを特徴とする請求項１又は２に記載の装身具。
【請求項４】
前記装飾部は、ガラス、プラスチック、金属、木材、陶器、磁器、天然石、貝、真珠及びこれらの加工品からなる群から選ばれるいずれかのものである、ことを特徴とする請求項１〜３のいずれか一項に記載の装身具。
【請求項５】
前記装身部材は、帯状の柔軟部材である、ことを特徴とする請求項１〜４のいずれかに記載の装身具。
【請求項６】
前記装身部材は、皮革、布、及び伸縮性の低いプラスチックからなる群から選ばれるいずれかの素材で構成される、ことを特徴とする請求項５に記載の装身具。
【請求項７】
前記脱落防止部材は、シリコンゴム、天然ゴム、ウレタンゴム、クロロプレンゴム、ニトリルゴム、エチレンプロピレンゴム、ブチルゴム及びフッ素ゴムからなる群から選ばれるいずれかの素材で構成されている、ことを特徴とする請求項１〜６のいずれかに記載の装身具。
【請求項８】
請求項１に記載の装身具の構成要素であり、装身部材に着脱可能な装飾体であって、
前記装身部材が取り付けられた場合の視認領域側に意匠が施された装飾部と；
前記視認領域側の反対側の平坦面から突出するように形成され、前記装身部材の厚さ未満の高さを有する柱状部と；
前記柱状部の前記装飾部側とは反対側に形成され、前記柱状部の第１の径よりも大きな第２の径を有する板状の係止部と；
を備えることを特徴とする装飾体。
【請求項９】
請求項１に記載の装身具の構成要素であり、装飾体を着脱可能な装身部材であって、
前記装飾体が備える柱状部の高さ未満の厚さを有し、かつ、前記柱状部の第１の径以上、かつ、前記第１の径よりも大きな前記装飾体が備える係止部の第２の径未満の貫通孔を含む前記装飾体に対する着脱構造が形成され、
前記装飾体は、前記装身部材が取り付けられた場合の視認領域側に意匠が施された装飾部を更に備え、
前記柱状部は、前記視認領域側の反対側の平坦面から突出するように形成され、
前記係止部は、前記柱状部の前記装飾部側とは反対側に形成される、
を備えることを特徴とする装身部材。
【請求項１０】
前記着脱構造は、前記貫通孔から前記装身部材の延びる方向の少なくとも一方の方向に沿って形成された切込みを更に有する、ことを特徴とする請求項９に記載の装身部材。
【考案の詳細な説明】
【技術分野】
【０００１】
本考案は、装飾体と装身部材とを備える装身具に係り、より詳しくは、装飾体が装身部材に着脱可能に取り付けられた装身具に関する。
【背景技術】
【０００２】
従来から、ブレスレット等の装身具が広く用いられている。こうした装身具に関する技術として、装飾体が装身部材に着脱（「装飾体への装着部材の着脱」ともいえる）可能に取り付けられたバンド状装身具に関する技術が提案されている（特許文献１参照；以下、「従来例」という）。
【０００３】
かかる従来例の技術では、伸縮可能なゴムからなる本体（装身部材）と、当該本体に形成され表面から裏面に至る貫通した少なくとも１個の取付け孔と、本体に着脱可能に取付けられる装飾体とを備える構成を採用する。ここで、装飾体は、裏面に本体取付け孔に挿入される柱部と、視認領域に意匠を施した装飾部と、本体の裏面側に位置し、表面に前記柱部が連結された帯板状の係止部とを有している。そして、装飾体の本体への着脱時に本体を引き伸ばすことで取付け孔を拡張させることができるようになっている。
【０００４】
ここで、本体がゴムで構成されているので、本体の引き伸ばしを小さな力で行える。また、係止部が帯板状を呈しているため、装飾体の本体からの脱落を阻止できる。また、本体の引き伸ばしにより取付け孔を拡張させているので、係止部は取付け孔を容易に通過できるようになっている。
【先行技術文献】
【特許文献】
【０００５】
【特許文献１】実用新案登録第３１８４３２７号公報
【考案の概要】
【考案が解決しようとする課題】
【０００６】
上述した従来例の技術では、装身部材として伸縮性の高いゴム部材を採用している。かかる装身部材の表面領域も、装飾体における装飾部とともに視認領域となるが、装飾部の意匠によっては、ゴム部材の材質感が、装飾部の意匠と調和しているとはいい難い場合も発生することがあった。
【０００７】
例えば、伸縮性が低い材料部材の質感が、装飾部の意匠との調和にとっては好ましい場合がある。こうした材料部材としては、例えば、皮革部材が挙げられる。
【０００８】
このため、伸縮性の低い材料部材を装身部材として採用した場合であっても、装着部材への装飾体の着脱（装飾体への装着部材の着脱）を容易に行えるとともに、装飾体の装着部材からの脱落を有効に阻止できる技術が望まれている。かかる要請に応えることが、考案が解決しようとする課題の一つとして挙げられる。
【課題を解決するための手段】
【０００９】
本考案は、第１の観点からすると、装飾体と；前記装飾体に着脱可能な装身部材と；前記装飾体に着脱可能な脱落防止部材と；を備える装身具であって、前記装飾体は、前記装身部材が取り付けられた場合の視認領域側に意匠が施された装飾部と；前記視認領域側の反対側の平坦面から突出するように形成された柱状部と；前記柱状部の前記装飾部側とは反対側に形成され、前記柱状部の第１の径よりも大きな第２の径を有する板状の係止部と；を備え、前記装身部材は、前記柱状部の高さ未満の厚さを有し、かつ、前記第１の径以上かつ前記第２の径未満の貫通孔を含む前記装飾体に対する着脱構造を備え、前記脱落防止部材には、前記装飾体に前記装身部材が取り付けられた状態で、前記装飾体に着脱させる際に前記係止部を通過させる開口が形成され、前記開口の径は、前記脱落防止部材に対して引っ張り力を印加することにより前記第２の径未満から前記第２の径以上に変化可能であり、前記係止部を通過後に前記引っ張り力の印加を止めると前記第２の径以上から前記第２の径未満に変化する、ことを特徴とする装身具である。
【００１０】
この装身具を構成するには、まず、装身部材に形成された着脱構造を利用して、当該着脱構造における貫通孔を装飾体の柱状部が貫通するように、装身部材を装飾体に取り付ける。引き続き、脱落防止部材に引っ張り力を印加して開口の径を装飾体の係止部の径以上に変形させつつ、係止部を、開口を通過させた。その後、脱落防止部材への引っ張り力の印加をやめて、脱落防止部材を装飾体に取り付ける。このようにして、装身具が構成される。
【００１１】
一方、装身部材と装飾体とを分離させるには、まず、脱落防止部材に引っ張り力を印加して開口の径を装飾体の係止部の径以上に変形させつつ、係止部を、開口を通過させて、脱落防止部材を装飾体から分離させる。引き続き、着脱構造を利用して、装着部材を装飾体から分離させる。
【００１２】
したがって、本考案の装身具によれば、伸縮性の低い材料部材を装身部材として採用した場合であっても、装着部材への装飾体の着脱（装飾体への装着部材の着脱）を容易に行えるとともに、装飾体の装着部材からの脱落を有効に阻止できる。
【００１３】
本考案の装身具では、前記脱落防止部材が、圧縮力が印加されていない場合には、前記柱状部の高さと前記装身部材の厚さとの差以上の厚さを有し、前記装飾体に前記装身部材を取り付けた後に前記装飾体に取り付けられた場合に、前記係止部と前記装身部材と間における厚さが、前記差に一致する厚さに変形する、という構成とすることができる。この場合には、装飾体と装身部材とを密着固定することができるので、装飾体の装着部材からの脱落を非常に有効に阻止できる。
【００１４】
また、本考案の装身具では、前記着脱構造が、前記貫通孔から前記装身部材の延びる方向の少なくとも一方の方向に沿って形成された切込みを更に有する、という構成とすることができる。こうした着脱構造を装身部材が有するようにすれば、装身部材が、伸縮性の低いが柔軟性を有する材料部材を装身部材として採用すれば、装着部材への装飾体の着脱を容易に行うことができる。
【００１５】
また、本考案の装身具では、前記装飾部が、ガラス、プラスチック、金属、木材、陶器、磁器、天然石、貝、真珠及びこれらの加工品からなる群から選ばれるいずれかのものである、という構成とすることができる。この場合には、装飾体の装飾部に施される意匠として、様々な態様の意匠を採用することができる。ここで、プラスチックとしては、例えば、ベークライト等を挙げることができる。天然石としては、アクアマリン、オニキス、ガーネット、サファイア、ターコイズ、ダイヤモンド、水晶等を挙げることができる。真珠としては、あこや真珠、南洋真珠、淡水真珠等を挙げることができる。
【００１６】
また、「これらの加工品」とは、上述した、木、ガラス、プラスチック等の素材の上に漆を塗ったもの、その漆の上に蒔絵及び／又は螺鈿細工を施したもの、天然石に種々のカットを施したもの、彫金その他の金属を加工したもの、金、銀、銅などの金属の上に釉薬を焼き付けた七宝焼き等を挙げることができる。
【００１７】
また、本考案の装身具では、前記装身部材を帯状の柔軟部材とすることができる。ここで、装身部材は、皮革、布、及び伸縮性の低いプラスチックからなる群から選ばれるいずれかの素材で構成することができる。ここで、布を使用する場合には、所望の厚みを有するものを使用するか、何枚かを重ねあわせて接着又は縫い止め等を行ない、所望の厚みを有するようにしてもよい。
【００１８】
また、本考案の装身具では、前記脱落防止部材は、シリコンゴム、天然ゴム、ウレタンゴム、クロロプレンゴム、ニトリルゴム、エチレンプロピレンゴム、ブチルゴム及びフッ素ゴムからなる群から選ばれるいずれかの素材で構成されている、とすることができる。こうした伸縮性が高い素材を脱落防止部材の素材として採用することにより、本考案の装身具に適した脱落防止部材を実現することができる。
【００１９】
本考案は、第２の観点からすると、上述した本考案の装身具の構成要素であり、装身部材に着脱可能な装飾体であって、前記装身部材が取り付けられた場合の視認領域側に意匠が施された装飾部と；前記視認領域側の反対側の平坦面から突出するように形成され、前記装身部材の厚さ未満の高さを有する柱状部と；前記柱状部の前記装飾部側とは反対側に形成され、前記柱状部の第１の径よりも大きな第２の径を有する板状の係止部と；を備えることを特徴とする装飾体である。
【００２０】
本考案は、第３の観点からすると、上述した本考案の装身具の構成要素であり、装飾体を着脱可能な装身部材であって、前記装飾体が備える柱状部の高さ未満の厚さを有し、かつ、前記柱状部の第１の径以上、かつ、前記第１の径よりも大きな前記装飾体が備える係止部の第２の径未満の貫通孔を含む前記装飾体に対する着脱構造が形成され、前記装飾体は、前記装身部材が取り付けられた場合の視認領域側に意匠が施された装飾部を更に備え、前記柱状部は、前記視認領域側の反対側の平坦面から突出するように形成され、前記係止部は、前記柱状部の前記装飾部側とは反対側に形成される、を備えることを特徴とする装身部材である。
【考案の効果】
【００２１】
本考案によれば、伸縮性の低い材料部材を装身部材として採用した場合であっても、装着部材への装飾体の着脱を容易に行えるとともに、装飾体の装着部材からの脱落を有効に阻止できるという効果を奏する。
【図面の簡単な説明】
【００２２】
【図１】本考案の一実施形態に係る装身具の外観図である。
【図２】図１の装飾体の構成を説明するための図である。
【図３】図１の装着部材の構成を説明するための図である。
【図４】図１の脱落防止部材の構成を説明するための図である。
【図５】図２の装飾体に図３の装着部材及び図４の脱落防止部材を取り付けて装身具を構成させた場合の取り付け部分の構造を説明するための図である。
【図６】図５の装身具のＡ−Ａ断面図である。
【考案を実施するための形態】
【００２３】
以下、本考案に係る一実施形態を、図１〜図６を参照して説明する。なお、以下の説明においては、同一又は同等の要素には同一符号を付し、重複する説明を省略する。
【００２４】
図１には、一実施形態の装身具１０の外観が示されている。なお、図１に示されるＸＹＺ座標系（直交座標系）は右手系であり、図１におけるＸ方向、Ｙ方向及びＺ方向は、以下の説明のために便宜的に定義した方向である。
【００２５】
図１に示されるように、装身具１０は、装飾体２０と、装着部材３０と、脱落防止部材４０とを備えている。なお、装飾体２０は、装身具１０が組み立てられた場合に視認可能な部分として、装飾部２１及び係止部２３とを備えている。
【００２６】
装飾体２０は、本実施形態では、ガラスの加工品となっている。装飾体２０における装飾部２１は、装飾体２０の＋Ｚ方向側の部分を占めており、本実施形態では、略球状の形状を有している。そして、装飾部２１には意匠が施されている。また、装飾体２０における係止部２３は、装飾体２０の−Ｚ方向側端部に形成されており、装飾部２１の径よりも小さな径を有する円盤状の形状を有している。
【００２７】
装着部材３０は、本実施形態では、帯状部材となっており、装身具１０を、例えば手首に装着するために利用される。この装着部材３０は、装身具１０においては、装飾部２１と係止部２３との間における＋Ｚ方向側で、装飾体２０に取り付けられるようになっている。
【００２８】
脱落防止部材４０は、４つの円弧を組み合わせて形成された略菱形状の平板状部材となっており、装着部材３０を装飾部２１に密着固定するために利用される。この脱落防止部材４０は、装身具１０においては、装飾部２１と係止部２３との間における−Ｚ方向側、すなわち、装着部材３０と係止部２３と間に取り付けられるようになっている。
【００２９】
次に、上述した装飾体２０、装着部材３０及び脱落防止部材４０のそれぞれの構成について説明する。
【００３０】
＜装飾体２０の構成＞
図２（Ａ）には、−Ｙ方向側から視た場合の装飾体２０の外観図が示され、図２（Ｂ）には、−Ｚ方向側から視た場合の装飾体２０の外観図が示されている。
【００３１】
図２（Ａ）及び図２（Ｂ）により総合的に示されるように、装飾体２０は、装飾部２１と、柱状部２２と、係止部２３とを備えており、一体的に成型されている。ここで、装飾部２１は、上述したように、略球状の形状を有している。そして、装飾部２１の−Ｚ方向側端部には、平坦面２１Ｐが形成されている。
【００３２】
柱状部２２は、平坦面２１Ｐの中央部から−Ｚ方向に突出した円柱状の部分となっている。この柱状部２２の高さは「Ｈ」となっている。また、柱状部２２の径（第１の径）は「ｄ」となっている。
【００３３】
係止部２３は、柱状部２２の−Ｚ方向側端部に形成されている。この係止部２３は、上述したように略円盤状の形状であり、径が「Ｄ（＞ｄ）」（第２の径）とされている。
【００３４】
なお、柱状部２２の中心軸と、係止部２３の中心軸とは略一致するようになっている。
【００３５】
＜装着部材３０の構成＞
図３（Ａ）には、−Ｙ方向側から視た場合の装着部材３０の外観図が示され、図３（Ｂ）には、−Ｚ方向側から視た場合の装着部材３０の外観図が示されている。
【００３６】
図３（Ａ）及び図３（Ｂ）により総合的に示されるように、装着部材３０は、装飾体２０を取り付けるための中央部が楕円形状となっている帯状部材である。この装着部材３０は、厚さｈ（＜Ｈ）を有している。
【００３７】
なお、装着部材３０は、伸縮性が高くはないが、折り曲げ可能な柔軟部材となっている。本実施形態では、装着部材３０として、皮革素材を採用している。
【００３８】
装着部材３０の中央部には、貫通孔３０ａが形成されている。この貫通孔３０ａの径は、柱状部２２の径ｄ以上、かつ、係止部２３の径Ｄ未満とされている。なお、本実施形態では、貫通孔３０ａの径は、柱状部２２の径ｄと略同一とされている。
【００３９】
また、装着部材３０の中央部には、貫通孔３０ａから、装着部材３０が延びる２方向、すなわち、＋Ｘ方向及び−Ｘ方向に沿って延びる切込み３０ｃ1，３０ｃ2が形成されている。ここで、切込み３０ｃ1の＋Ｘ方向側端部から切込み３０ｃ1の−Ｘ方向側端部までの距離は、係止部２３の径Ｄよりも長く、かつ、平坦面２１Ｐの径よりも短くなっている。なお、本実施形態では、貫通孔３０ａと、切込み３０ｃ1，３０ｃ2とにより、装着部材３０の装飾体２０に対する着脱構造が構成されるようになっている。
【００４０】
切込み３０ｃ1，３０ｃ2を利用して装着部材３０の中央部を折り曲げ変形させ、装着部材３０の中央部の開口を大きくさせることができる。この結果、当該装飾体２０の係止部２３を、着脱構造を利用して拡大された開口を通過させることができるようになっている。
【００４１】
＜脱落防止部材４０の構成＞
図４（Ａ）には、−Ｙ方向側から視た場合の脱落防止部材４０の外観図が示され、図４（Ｂ）には、−Ｚ方向側から視た場合の脱落防止部材４０の外観図が示されている。
【００４２】
図４（Ａ）及び図４（Ｂ）により総合的に示されるように、脱落防止部材４０の中央部には、開口（貫通孔）４０ａが形成されている。この開口４０ａは、脱落防止部材４０に対して引っ張り力や圧縮力が印加されてない場合には、柱状部２２の径ｄ以上、かつ、係止部２３の径Ｄ未満とされている。なお、本実施形態では、脱落防止部材４０に対して引っ張り力や圧縮力が印加されてない場合の開口４０ａの径は、柱状部２２の径ｄと略同一とされている。
【００４３】
なお、脱落防止部材４０の厚さは、脱落防止部材４０に対して引っ張り力や圧縮力が印加されてない場合には、柱状部２２の高さＨと装着部材３０の厚さｈとの差分（Ｈ−ｈ）以上となっている。本実施形態では、脱落防止部材４０の当該厚さは、差分（Ｈ−ｈ）よりも僅かではあるが長くなっている。
【００４４】
脱落防止部材４０は、伸縮性が高い素材から構成されている。このため、脱落防止部材４０に対して、ＸＹ面に沿った引っ張り力を印加すると、当該印加方向に沿った開口４０ａの径を係止部２３の径Ｄ以上の変形させることができ、装飾体２０の係止部２３を通過させることができるようになっている。
【００４５】
また、本実施形態では、装着部材３０が装飾体２０に取り付けられた後に、脱落防止部材４０が、装着部材３０と係止部２３との間に取り付けられると、装着部材３０と係止部２３との間における脱落防止部材４０の厚さが、差分（Ｈ−ｈ）に変形するようになっている。このため当該変形に対する復元力により、装着部材３０が、装飾部２１の平坦面２１Ｐに密着固定されるようになっている。
【００４６】
＜装身具１０の組立＞
次に、装身具１０の組立について説明する。
【００４７】
装身具１０の組立に際しては、まず、装飾体２０、装着部材３０及び脱落防止部材４０を用意する。引き続き、装身部材３０に形成された着脱構造（３０ａ，３０ｃ1，３０ｃ２）を利用して、当該着脱構造における貫通孔３０ａを装飾体２０の柱状部２２が貫通するように、装身部材３０を装飾体２０に取り付ける。次に、脱落防止部材４０にＸＹ面と平行な引っ張り力を印加して、脱落防止部材４０における開口４０ａの径を装飾体２０の係止部２３の径Ｄ以上に変化させつつ、係止部２３を、開口を通過させる。この後、脱落防止部材４０への引っ張り力の印加をやめて、脱落防止部材４０を装飾体２０に取り付ける。この結果、装身具１０が構成される。
【００４８】
こうして組み立てられた装身具１０における装飾体２０に装着部材３０及び脱落防止部材４０の取り付け部分を、−Ｙ方向側から視た場合の外観が図５に示されている。また、当該取り付け部分のＸＺ断面図が図６に示されている。
【００４９】
なお、装身具１０が組み立てられた状態では、上述したように、脱落防止部材４０が発生するＺ軸方向への復元力により、装着部材３０が、装飾部２１の平坦面２１Ｐに密着固定される。この結果、装着部材３０から装飾体の脱落が防止される。
【００５０】
＜装身具１０の分解＞
次いで、装身具１０の分解について説明する。
【００５１】
装身具１０の分解に際しては、まず、脱落防止部材４０にＸＹ面と平行な引っ張り力を印加して、脱落防止部材４０における開口４０ａの径を装飾体２０の係止部２３の径Ｄ以上に変化させつつ、係止部２３を、開口を通過させる。この結果、脱落防止部材４０が、装飾体２０から分離させる。
【００５２】
次に、装着部材３０における着脱構造（３０，３０ｃ1，３０ｃ２）を利用して、装着部材３０における貫通孔を拡大させつつ、係止部２３を、拡大された貫通孔を通過される。この結果、装着部材３０を装飾体２０から分離させる。
【００５３】
以上説明したように、本実施形態の装身具１０は、装飾体２０と；装飾体２０に着脱可能な装身部材３０と；装飾体２０に着脱可能な脱落防止部材４０と；を備える。ここで、装飾体２０は、装身部材３０が取り付けられた場合の視認領域側に意匠が施された装飾部２１と；当該視認領域側の反対側の平坦面２１Ｐから突出するように形成された柱状部２２と；柱状部２２の装飾部２１側とは反対側に形成され、柱状部２２の径ｄよりも大きな径Ｄを有する板状の係止部２３と；を備える。また、装身部材３０には、柱状部２２の高さＨ未満の厚さｈを有し、かつ、「ｄ」以上かつ「Ｄ」未満の径の貫通孔３０ａを含む装飾体２０に対する着脱構造（３０ａ，３０ｃ1，３０ｃ2）が形成されている。また、脱落防止部材４０には、装飾体２０に装身部材３０が取り付けられた状態で、装飾体２０に着脱させる際に係止部３０を通過させる開口４０ａが形成され、開口４０ａの径は、脱落防止部材４０に対して引っ張り力を印加することにより「Ｄ」未満から「Ｄ」以上に変化可能であり、係止部２３を通過後に引っ張り力の印加をやめると「Ｄ」以上から「Ｄ」未満に変化する。
【００５４】
この装身具１０を組み立てる際には、まず、装身部材３０に形成された着脱構造（３０ａ，３０ｃ1，３０ｃ2）を利用して、当該着脱構造（３０ａ，３０ｃ1，３０ｃ2）における貫通孔３０ａを装飾体２０の柱状部２２が貫通するように、装身部材３０を装飾体２０に取り付ける。引き続き、脱落防止部材４０に引っ張り力を印加して開口４０ａの径を装飾体２０の係止部２３の径Ｄ以上に変化させつつ、係止部２３を、開口４０ａを通過させた後、脱落防止部材４０への引っ張り力の印加をやめて、脱落防止部材４０を装飾体２０に取り付ける。この結果、装身具１０が組み立てられる。
【００５５】
一方、装身部材３０と装飾体２０とを分離させる際には、まず、脱落防止部材４０に引っ張り力を印加して開口４０ａの径を装飾体２０の係止部２３の径Ｄ以上に変化させつつ、係止部２３を、開口４０ａを通過させて、脱落防止部材４０を装飾体から分離させる。引き続き、着脱構造（３０ａ，３０ｃ1，３０ｃ2）を利用して、装着部材３０を装飾体２０から分離させる。
【００５６】
したがって、本実施形態の装身具１０によれば、伸縮性の低い材料部材を装身部材として採用した場合であっても、装着部材への装飾体の着脱（装飾体への装着部材の着脱）を容易に行えるとともに、装飾体の装着部材からの脱落を有効に阻止できる。
【００５７】
本実施形態の装身具１０では、脱落防止部材４０が、装飾体２０に装身部材３０を取り付けた後に装飾体２０に取り付けられた場合に、係止部２３と装身部材３０と間の厚さが、柱状部２２の高さＨと装身部材の厚さｈとの差（Ｈ−ｈ）に一致する厚さに変形する。このため、装飾体２０と装身部材３０とを密着固定することができるので、装飾体２０の装着部材３０からの脱落を非常に有効に阻止できる。
【００５８】
また、本実施形態の装身具１０では、伸縮性の低いが柔軟性を有する材料部材から成る装着部材３０における着脱構造が、貫通孔３０ａと、貫通孔３０ａから装身部材３０の延びる２方向のそれぞれに沿って形成された切込み３０ｃ1，３０ｃ2を有するようにした。このため、伸縮性の低い装身部材３０を採用しつつ、装着部材３０への装飾体２０の着脱を容易に行うことができる。
【００５９】
［実施形態の変形］
本考案は、上記の実施形態に限定されるものではく、実用新案登録請求の範囲に記載の範囲内での様々な変形が可能である。
【００６０】
例えば、上記の実施形態では、装飾部を、ガラスの加工品とした。これに対し、装飾部を、上述したような木、ガラス、プラスチックそのものや、これらの素材の上に漆を塗ったものやその漆の上に蒔絵を施したもの（漆細工）、及び／又はこれらに螺鈿細工を施したもの、天然石に種々のカットを施したもの、彫金その他の金属を加工したもの、金、銀、銅などの金属の上に釉薬を焼き付けた七宝焼き等としてもよい。例えば、装飾部を、漆細工や螺鈿細工を施したものや七宝焼きで構成した場合には、金属等で構成した着脱構造を、例えば、接着剤でこれらの装飾部に接着する等して、装飾体としてもよい。
【００６１】
また、上記の実施形態では、装飾体における、装飾部と、柱状部と、係止部とが、同一素材から構成され、一体的に成型されているものとした。これに対し、装飾部の素材と、柱状部及び係止部の少なくとも一方の素材とが異なるものとしてもよい。さらに、柱状部の素材と係止部の素材とが異なるものとしてもよい。こうした場合には、各部を独立して作成したうえで、異なる素材の部分同士を接着する等として装飾体を組み立てるようにすればよい。なお、装飾部と柱状部とが、また、柱状部と係止部とが、同一素材から構成される場合であっても、各部を独立して作製したうえで、接着する等として装飾体を組み立てるようにしてもよい。
【００６２】
また、上記の実施形態では、装身部材の素材を、帯状の柔軟部材である皮革素材とした。これに対し、帯状の柔軟部材を、布及び伸縮性の低いプラスチックからなる群から選ばれるいずれかの素材を採用してもよい。
【００６３】
また、上記の実施形態では、装身部材の全体の素材を、帯状の柔軟部材である素材とした。これに対し、装飾体の取り付け部を帯状の柔軟部材で構成するようにすれば、他の部分については、柔軟性を有するのであれば、帯状以外の形状としてもよい。
【００６４】
また、上記の実施形態では、装着部材における着脱構造が、貫通孔と、装着部材の延びる方向に沿って形成された２つの切込みを有するようにした。これに対し、切込みの数は１つであってもよいし、装着部材の延びる方向とは異なる方向に沿って形成された切込みを採用するようにしてもよい。
【００６５】
また、上記の実施形態では、脱落防止部材の素材として、シリコンゴムを採用した。これに対し、伸縮性が高い素材であれば、シリコンゴム以外の素材、例えば、天然ゴム、ウレタンゴム、クロロプレンゴム、ニトリルゴム、エチレンプロピレンゴム、ブチルゴム及びフッ素ゴムからなる群から選ばれるいずれかの素材を採用するようにしてもよい。
【００６６】
また、上記の実施形態では、装飾部の形状を略球状としたが、他の形状、例えば、楕円球状、円柱状等としてもよい。
【００６７】
また、上記の実施形態では、手首に装着される装身具を例示したが、手首以外の部位、例えば、首、指、足首等に装着される装身具に本考案を適用するようにしてもよい。
【産業上の利用可能性】
【００６８】
本考案は、装身具の分野で有用である。
【符号の説明】
【００６９】
１０          …  装身具
２０          …  装飾体
２１          …  装飾部
２２          …  柱状部
２３          …  係止部
３０          …  装身部材
３０ａ        …  貫通孔
３０ｃ        …  切込み
４０          …  脱落防止部材
４０ａ        …  開口
【図１】
0003218335.tif 000003
【図２】
0003218335.tif 000004
【図３】
0003218335.tif 000005
【図４】
0003218335.tif 000006
【図５】
0003218335.tif 000007
【図６】
0003218335.tif 000008